(57)【要約】【課題】フレーミング時に観察系に写っていた被写体が、実際に撮像系で撮影された画像として写っていないということがないような撮像装置を提供することである。【解決手段】このデジタルカメラは、被写体を観察するファィンダ窓２６を含む観察系と、上記被写体の像を結像する撮像素子１６を含む撮像系と、上記観察系で観察される被写体のぶれを補正する観察ぶれ補正光学系２３と、上記撮像系で結像される像のぶれを補正する、撮像系駆動部１７及び撮像系位置検出部１８を含む撮像ぶれ補正系とを有している。そして、上記観察系の視野率は撮像系の視野率よりも低くなっている。【選択図】      図１
2005318431.tif 000002
【特許請求の範囲】
【請求項１】
撮像系と、観察系とを備え、上記観察系は観察ぶれ補正系を備える撮影装置であって、
上記観察系の視野率は、上記撮像系の視野率よりも低いことを特徴とする撮影装置。
【請求項２】
上記撮像系は、撮像ぶれ補正系を備えることを特徴とする請求項１に記載の撮影装置。
【請求項３】
撮像系と、観察系と、上記撮像系のブレを補正する撮像ぶれ補正系と、上記観察系のブレを補正する観察ぶれ補正系と、を備える撮影装置であって、
上記観察系の視野率は、上記撮像系の視野率よりも低いと共に、上記観察ぶれ補正系の補正範囲は上記撮像ぶれ補正系の補正範囲よりも狭いことを特徴とする撮影装置。
【請求項４】
上記視野率の設定を変更するための視野率変更手段を更に具備し、
上記視野率変更手段は、ぶれ補正を行わない場合は上記撮像系と上記観察系の視野率が略同一となるように設定されることを特徴とする請求項１乃至３の何れか１に記載の撮影装置。
【請求項５】
上記視野率変更手段による視野率の変更は、スーパーインポーズ枠を変更することにより行われることを特徴とする請求項１乃至４の何れか１に記載の撮影装置。
【請求項６】
上記視野率に於ける観察ぶれ補正系の画角移動領域は、露光開始時の撮像系の画角と略同一か若しくは小なる領域であることを特徴とする請求項１乃至５の何れか１に記載の撮影装置。
【請求項７】
上記撮像ぶれ補正系は、露光開始と同時に所定の位置から駆動を開始することを特徴とする請求項１乃至６の何れか１に記載の撮影装置。
【請求項８】
上記所定の位置に於いて、上記撮像系の画角の中心と上記撮像系のぶれ補正領域の中心が一致することを特徴とする請求項７に記載の撮影装置。
【請求項９】
上記所定の位置に於いて、上記撮像系の画角の中心と上記撮像系のぶれ補正領域の中心が一致しないことを特徴とする請求項７に記載の撮影装置。
【請求項１０】
ぶれが発生していない静止状態に於いて、上記撮像ぶれ補正系と上記観察ぶれ補正系の何れか一方が、上記ぶれ補正系の補正範囲の中心と画角中心が一致しないように上記所定の位置を設定することを特徴とする請求項８に記載の撮影装置。
【請求項１１】
上記所定の位置は、焦点距離に応じて設定されることを特徴とする請求項１０に記載の撮影装置。
【請求項１２】
上記所定の位置は、撮影距離に応じて設定されることを特徴とする請求項１１に記載の撮影装置。
【請求項１３】
撮像ぶれ補正系を有した撮像系と、観察ぶれ補正系を有した観察系とを備えた撮影装置であって、
上記観察ぶれ補正系の補正範囲は、上記撮像ぶれ補正系の補正範囲よりも狭いことを特徴とする撮影装置。
【請求項１４】
上記観察ぶれ補正系の補正移動領域が補正方向によって異なることを特徴とする請求項１３に記載の撮影装置。
【請求項１５】
所定の視野率を有して被写体を観察する観察系と、
上記観察系よりも低い視野率を有して上記被写体の像を結像する撮像系と、
上記観察系で観察される被写体のぶれを補正する観察ぶれ補正系と、
上記撮像系で結像される像のぶれを補正する撮像ぶれ補正系と、
を具備することを特徴とする撮影装置。
【請求項１６】
上記観察ぶれ補正系の補正範囲は、上記撮像ぶれ補正系の補正範囲よりも狭いことを特徴とする請求項１５に記載の撮影装置。
【請求項１７】
上記視野率の設定を変更するための視野率変更手段を更に具備し、
上記視野率変更手段は、ぶれ補正を行わない場合は上記撮像系と上記観察系の視野率が略同一となるように設定されることを特徴とする請求項１５及び１６の何れか１に記載の撮影装置。
【請求項１８】
上記視野率変更手段による視野率の変更は、スーパーインポーズ枠を変更することにより行われることを特徴とする請求項１７に記載の撮影装置。
【請求項１９】
上記観察ぶれ補正系の画角移動領域は、上記撮像系の露光開始時の画角と略同一か若しくは小なる領域であることを特徴とする請求項１５乃至１８の何れか１に記載の撮影装置。
【請求項２０】
上記撮像ぶれ補正系は、露光開始と同時に所定の位置から駆動を開始することを特徴とする請求項１５乃至１９の何れか１に記載の撮影装置。
【請求項２１】
上記所定の位置に於いて、上記撮像系の画角の中心と上記撮像系のぶれ補正領域の中心が一致することを特徴とする請求項２０に記載の撮影装置。
【請求項２２】
上記所定の位置に於いて、上記撮像系の画角の中心と上記撮像系のぶれ補正領域の中心が一致しないことを特徴とする請求項２１に記載の撮影装置。
【請求項２３】
上記撮像ぶれ補正系と上記観察ぶれ補正系の何れか一方が、ぶれが発生していない静止状態に於いて、上記ぶれ補正系の補正範囲の中心と画角中心が一致しないように上記所定の位置を設定することを特徴とする請求項２１に記載の撮影装置。
【請求項２４】
上記所定の位置は、焦点距離に応じて設定されることを特徴とする請求項２３に記載の撮影装置。
【請求項２５】
上記所定の位置は、撮影距離に応じて設定されることを特徴とする請求項２４に記載の撮影装置。
【請求項２６】
上記観察ぶれ補正系の補正移動領域は、補正方向によって異なることを特徴とする請求項２５に記載の撮影装置。
【発明の詳細な説明】
【技術分野】
【０００１】
本発明は撮影装置に関し、特に撮影装置の手振れ補正技術に関するものである。
【背景技術】
【０００２】
撮影装置に於ける像振れ（手振れ）補正装置としては、角速度センサを用いて撮影装置の揺動に関する情報を検出し、その情報に基いて、光学系の一部を移動させることで光軸をずらし、像振れ補正を行うものが知られている。
【０００３】
そして、撮像系と観察系で別々に補正を行う撮影装置が知られている（例えば、特許文献１参照）。これによれば、フレーミング時は観察ぶれ補正系を駆動することでフレーミング画像に対してのみぶれ補正するようにし、露光が開始されると撮像ぶれ補正系が駆動される構成となっている。
【０００４】
このように、撮像系と観察系を別々に制御することによる利点は、セカンドレリーズ釦が押されると同時に撮像系のぶれ補正機構が駆動されるので、撮影のタイムラグが極めて短くできる点である。
【０００５】
また、焦点距離、或いは手ぶれ量に応じて被写体表示手段の視野率を変化させている被写体表示装置が知られている。これは、発生するぶれ量を考慮して、確実に撮影系に撮影される範囲を被写体表示手段に表示させるための視野率にするものである（例えば、特許文献２参照）。
【特許文献１】特開平９−３２９８２０号公報
【特許文献２】特開２００４−１２４９９号公報
【発明の開示】
【発明が解決しようとする課題】
【０００６】
しかしながら、上述した特許文献１に記載の撮影装置は、露光開始時点に於いて、観察系による画角と撮像系による画角が一致しないという課題を有している。すなわち、フレーミング時に決定した構図に対して、撮像系により撮影した画像には写らなかった部分が発生してしまうということである。
【０００７】
また、上述した特許文献２に記載の被写体表示装置は、撮影系と観察系との相互のぶれ補正動作によって生じる位置ずれを解決するものではない。
【０００８】
したがって本発明は、上記課題に鑑みてなされたものであり、フレーミング時に観察系に写っていた被写体が、実際に撮像系で撮影された画像として写っていないということがないような撮影装置を提供することを目的とする。
【課題を解決するための手段】
【０００９】
すなわち請求項１に記載の発明は、撮像系と、観察系とを備え、上記観察系は観察ぶれ補正系を備える撮影装置であって、上記観察系の視野率は、上記撮像系の視野率よりも低いことを特徴とする。
【００１０】
請求項２に記載の発明は、請求項１に記載の発明に於いて、上記撮像系は、撮像ぶれ補正系を備えることを特徴とする。
【００１１】
請求項３に記載の発明は、撮像系と、観察系と、上記撮像系のブレを補正する撮像ぶれ補正系と、上記観察系のブレを補正する観察ぶれ補正系と、を備える撮影装置であって、上記観察系の視野率は、上記撮像系の視野率よりも低いと共に、上記観察ぶれ補正系の補正範囲は上記撮像ぶれ補正系の補正範囲よりも狭いことを特徴とする。
【００１２】
請求項４に記載の発明は、請求項１乃至３の何れか１に記載の発明に於いて、上記視野率の設定を変更するための視野率変更手段を更に具備し、上記視野率変更手段は、ぶれ補正を行わない場合は上記撮像系と上記観察系の視野率が略同一となるように設定されることを特徴とする。
【００１３】
請求項５に記載の発明は、請求項１乃至４の何れか１に記載の発明に於いて、上記視野率変更手段による視野率の変更は、スーパーインポーズ枠を変更することにより行われることを特徴とする。
【００１４】
請求項６に記載の発明は、請求項１乃至５の何れか１に記載の発明に於いて、上記視野率に於ける観察ぶれ補正系の画角移動領域は、露光開始時の撮像系の画角と略同一か若しくは小なる領域であることを特徴とする。
【００１５】
請求項７に記載の発明は、請求項１乃至６の何れか１に記載の発明に於いて、上記撮像ぶれ補正系は、露光開始と同時に所定の位置から駆動を開始することを特徴とする。
【００１６】
請求項８に記載の発明は、請求項７に記載の発明に於いて、上記所定の位置に於いて、上記撮像系の画角の中心と上記撮像系のぶれ補正領域の中心が一致することを特徴とする。
【００１７】
請求項９に記載の発明は、請求項７に記載の発明に於いて、上記所定の位置に於いて、上記撮像系の画角の中心と上記撮像系のぶれ補正領域の中心が一致しないことを特徴とする。
【００１８】
請求項１０に記載の発明は、請求項８に記載の発明に於いて、ぶれが発生していない静止状態に於いて、上記撮像ぶれ補正系と上記観察ぶれ補正系の何れか一方が、上記ぶれ補正系の補正範囲の中心と画角中心が一致しないように上記所定の位置を設定することを特徴とする。
【００１９】
請求項１１に記載の発明は、請求項１０に記載の発明に於いて、上記所定の位置は、焦点距離に応じて設定されることを特徴とする。
【００２０】
請求項１２に記載の発明は、請求項１１に記載の発明に於いて、上記所定の位置は、撮影距離に応じて設定されることを特徴とする。
【００２１】
請求項１３に記載の発明は、撮像ぶれ補正系を有した撮像系と、観察ぶれ補正系を有した観察系とを備えた撮影装置であって、上記観察ぶれ補正系の補正範囲は、上記撮像ぶれ補正系の補正範囲よりも狭いことを特徴とする。
【００２２】
請求項１４に記載の発明は、請求項１３に記載の発明に於いて、上記観察ぶれ補正系の補正移動領域が補正方向によって異なることを特徴とする。
【００２３】
請求項１５に記載の発明は、所定の視野率を有して被写体を観察する観察系と、上記観察系よりも低い視野率を有して上記被写体の像を結像する撮像系と、上記観察系で観察される被写体のぶれを補正する観察ぶれ補正系と、上記撮像系で結像される像のぶれを補正する撮像ぶれ補正系と、を具備することを特徴とする。
【００２４】
請求項１６に記載の発明は、請求項１５に記載の発明に於いて、上記観察ぶれ補正系の補正範囲は、上記撮像ぶれ補正系の補正範囲よりも狭いことを特徴とする。
【００２５】
請求項１７に記載の発明は、請求項１５及び１６の何れか１に記載の発明に於いて、上記視野率の設定を変更するための視野率変更手段を更に具備し、上記視野率変更手段は、ぶれ補正を行わない場合は上記撮像系と上記観察系の視野率が略同一となるように設定されることを特徴とする。
【００２６】
請求項１８に記載の発明は、請求項１７に記載の発明に於いて、上記視野率変更手段による視野率の変更は、スーパーインポーズ枠を変更することにより行われることを特徴とする。
【００２７】
請求項１９に記載の発明は、請求項１５乃至１８の何れか１に記載の発明に於いて、上記観察ぶれ補正系の画角移動領域は、上記撮像系の露光開始時の画角と略同一か若しくは小なる領域であることを特徴とする。
【００２８】
請求項２０に記載の発明は、請求項１５乃至１９の何れか１に記載の発明に於いて、上記撮像ぶれ補正系は、露光開始と同時に所定の位置から駆動を開始することを特徴とする。
【００２９】
請求項２１に記載の発明は、請求項２０に記載の発明に於いて、上記所定の位置に於いて、上記撮像系の画角の中心と上記撮像系のぶれ補正領域の中心が一致することを特徴とする。
【００３０】
請求項２２に記載の発明は、請求項２１に記載の発明に於いて、上記所定の位置に於いて、上記撮像系の画角の中心と上記撮像系のぶれ補正領域の中心が一致しないことを特徴とする。
【００３１】
請求項２３に記載の発明は、請求項２１に記載の発明に於いて、上記撮像ぶれ補正系と上記観察ぶれ補正系の何れか一方が、ぶれが発生していない静止状態に於いて、上記ぶれ補正系の補正範囲の中心と画角中心が一致しないように上記所定の位置を設定することを特徴とする。
【００３２】
請求項２４に記載の発明は、請求項２３に記載の発明に於いて、上記所定の位置は、焦点距離に応じて設定されることを特徴とする。
【００３３】
請求項２５に記載の発明は、請求項２４に記載の発明に於いて、上記所定の位置は、撮影距離に応じて設定されることを特徴とする。
【００３４】
請求項２６に記載の発明は、請求項２５に記載の発明に於いて、上記観察ぶれ補正系の補正移動領域は、補正方向によって異なることを特徴とする。
【発明の効果】
【００３５】
本発明によれば、フレーミング時に観察系に写っていた被写体が、実際に撮像系で撮影された画像として写っていないということがないような撮影装置を提供することを目的とする。
【発明を実施するための最良の形態】
【００３６】
以下、図面を参照して本発明の実施形態を説明する。
【００３７】
（第１の実施形態）
図１は、本発明の第１の実施形態に係るデジタルカメラの概略構成を模式的に示した構成図である。
【００３８】
尚、ぶれ補正システムは、垂直に独立した２次元方向にて各々制御する。したがって、実際には全く同一の２方向のシステムにより構成されているが、ここでは説明を簡略化するために、１方向のみについて図示及び説明する。
【００３９】
図１に於いて、このデジタルカメラ１０は、カメラ本体１１と、焦点距離の変更が可能なズームレンズを有したレンズ鏡筒１２とを有して構成される。
【００４０】
カメラ本体１１は、上記レンズ鏡筒１２内のズームレンズの光軸上の延長上に配置されたシャッタ１５と、撮像素子１６とを有している。上記シャッタ１５は、撮像素子１６への露光を制御するためのものである。また、撮像素子１６は、例えばＣＣＤ等の撮像手段により構成されるもので、レンズ鏡筒１２内のズームレンズにより結像された被写体像を電気信号に変換するためのものである。
【００４１】
上記撮像素子１６の近傍には、この撮像素子１６の位置を駆動するための撮像系駆動部１７と、撮像素子１６の位置を検出するための撮像系位置検出部１８とが設けられている。更に、カメラ本体１１の背面部には、撮影された画像を再生して確認したりカメラの設定状態を表示して変更したりするための液晶画面２０が設けられている。
【００４２】
カメラ本体１１の上部には、観察系の一部を構成する光学系であり、観察系のぶれ補正を担う観察ぶれ補正光学系２３が設けられている。この観察ぶれ補正光学系２３の近傍には、該観察ぶれ補正光学系２３の位置を駆動するための観察系駆動部２４と、観察ぶれ補正光学系２３の位置を検出するための観察系位置検出部２５とが配置されている。
【００４３】
更に、上記ズームレンズを介して入射される撮影光束と平行して、図示されない被写体を観察するためのファインダ窓２６が、カメラ本体１２の背面側に設けられている。また、カメラ本体１２の上部には、カメラのぶれを検出するぶれ検出部２８と、この釦を操作することにより所定のタイミングで上記シャッタ１５を動作させるレリーズ釦２９が、それぞれ設けられている。
【００４４】
尚、このカメラに発生するピッチ方向のぶれは、図示矢印Ａにより表される。
【００４５】
次に、図１に示される構成に於けるぶれ補正システムの動作について、図２を参照して説明する。
【００４６】
図２は、図１のデジタルカメラに於けるぶれ補正システムの構成を示すブロック図である。
【００４７】
図２に於いて、上述したぶれ検出部２８に相当して振動ジャイロ等で構成されるぶれ検出部３１にて検出された出力が、ハイパスフィルタ（ＨＰＦ）３２、信号増幅器（ＡＭＰ）３３及びアナログ−デジタル（Ａ／Ｄ）変換器３４を介して、マイクロコンピュータ５０にぶれ信号情報として入力される。マイクロコンピュータ５０は、積分処理部３６と、位置換算部３７と、ハイパスフィルタ（ＨＰＦ）３８と、比較部３９及び制御部４０とから構成されている。
【００４８】
この制御部４０からの出力は、上記撮像系駆動部１７に相当するドライバ４２を介して該ドライバ４２により駆動される補正系４３へ供給される。また、補正系４３の動きは、上記撮像系位置検出部１８に相当するもので、図示されない固定部と可動部にそれぞれ取り付けられた、図示されない赤外線発光素子（ＩＲＥＤ）と位置検出素子（ＰＳＤ）の組み合わせ等から成る位置検出部４５により検出される。この検出された位置検出情報は、信号増幅器（ＡＭＰ）４６及びアナログ−デジタル（Ａ／Ｄ）変換器４７を介して、マイクロコンピュータ５０内の比較部３９へ供給される。
【００４９】
このような構成のぶれ補正システムに於いて、ぶれ検出部３１によりぶれ角速度が検出される。すると、このぶれ検出部３１からの出力に含まれるオフセット成分が、ハイパスフィルタ３２にて除去され、更に信号増幅器３３にて所望の信号増幅が行われる。そして、増幅された信号がアナログ−デジタル変換器３４にて、Ａ／Ｄ変換が行われることにより、マイクロコンピュータ５０にぶれ信号情報として入力される。
【００５０】
Ａ／Ｄ変換されたぶれ角速度情報は、マイクロコンピュータ５０内の積分処理部３６にて積分処理が施されることにより、角速度から角度の情報へと変換される。更に、位置換算部３７に於いて、上述したレンズ鏡筒１２より得られた焦点距離情報、撮影距離情報及びぶれ角度情報から、撮像素子１６上で発生するぶれを打ち消すために必要な補正系４３のシフト量が算出される。
【００５１】
また、カメラの静止時には補正系４３が所定の位置に留まるようにするために、補正系４３には常に該補正系４３の所定位置への向心力を持たせるべく、目標シフト位置に対するハイパスフィルタ３８による直流成分を除去する処理が行われる。このハイパスフィルタ３８の処理により、カメラが静止している場合には、常にレンズが所定の位置に位置される。
【００５２】
以上から、求められた目標位置に補正系４３を駆動するためのドライバ４２への信号が、マイクロコンピュータ５０から伝達され、このドライバ４２により補正系４３（図１の撮像素子１６を駆動する撮像駆動系１７に相当する）が駆動される。補正系４３は、図示されないがボイスコイルモータ（ＶＣＭ）等により構成されるもので、直交する２軸方向に独立駆動が可能なように構成されたガイドを介して固定部と可動部が設けられて構成されている。そして、可動部が２軸方向に移動されることにより、ぶれが補正される。
【００５３】
一方、補正系４３の動きは、位置検出部４５により、直交する２軸方向それぞれに対して独立に検出される。そして、この位置検出情報は、信号増幅器４６により信号増幅されて、更にアナログ−デジタル変換器４７にてＡ／Ｄ変換された後、マイクロコンピュータ５０内の比較部３９に入力される。
【００５４】
この比較部３９では、上記位置検出部４５からの位置検出情報と、位置換算部３７で算出された補正系４３のシフト目標値とが比較される。そして、その誤差が小さくなるように、補正系４３を駆動するようにしたフィードバック制御系が構成されている。制御部４０では、所望の精度及び安定性を有する制御系システムに必要な位相補償等の処理がなされる。また、制御部４０は、視野率の設定を変更するための視野率変更手段としても機能し、ぶれ補正を行わない場合は上記撮像系と上記観察系の視野率が略同一となるようにする。
【００５５】
尚、本実施形態に於いては、ぶれ補正系は撮像系と観察系に別々に用意されており、ぶれ検出系は１つで共通に使用され、補正系は別々に駆動されている。
【００５６】
次に、撮像系と観察系のぶれ補正の動作シーケンスの関係について、図３を参照して説明する。
【００５７】
図３（ａ）は、ぶれ検出系の動作シーケンスを表しており、検出された手ぶれ情報から補正系４３のシフト目標値を演算した結果が図示されている。
【００５８】
レリーズ釦２９の半押しであるファーストレリーズ（１Ｒ）釦が押されることにより、ぶれ補正システムに電源が投入され、ハイパスフィルタ３２、３８の安定化等の初期化が行われた後、ぶれ演算が行われる。
【００５９】
次に、観察系のぶれ補正の動作タイミングについて、図３（ｂ）の動作シーケンスを参照して説明する。
【００６０】
ファーストレリーズ釦が押される前は、ぶれ補正は行われていないので、所定の位置に停止している。そして、ファーストレリーズ釦が押されることにより、フレーミング動作が開始される。このとき、観察ぶれ補正系が所定の位置からぶれ検出系により演算された目標値に追従するように駆動される。これにより、フレーミング中のファインダ上で、撮影者はぶれが補正された画像を見ることができるので、構図を決定しやすくなる。
【００６１】
そして、撮像素子１６に露光を開始させるための、レリーズ釦２９の全押しであるセカンドレリーズ（２Ｒ）釦が押されると、観察ぶれ補正系は停止され所定の時定数によって所定の位置へと復帰し、以降、次の動作が来るまで停止している。
【００６２】
次に、撮像系のぶれ補正のタイミングについて、図３（ｃ）の動作シーケンスを参照して説明する。
【００６３】
セカンドレリーズ釦が押されるまでの間、撮像ぶれ補正系は、所定の位置に停止している。そして、セカンドレリーズ釦が押されることによって、所定の位置からぶれ検出系により演算された目標値に追従するように駆動が開始される。また、セカンドレリーズ釦が押されることによって、シャッタ１５が駆動されて開いた状態となり、撮像素子１６への露光が開始される。これにより、撮影された静止画像は、ぶれが補正された鮮明な画像となる。そして、露光が終了すると、所定の時定数により所定の位置に復帰し、以降、次の動作が来るまで停止している。
【００６４】
図４は、ぶれが発生していない状態時の初期位置にいるときの撮像系と観察系の画角の関係を表したものである。
【００６５】
図４に於いて、撮像系の画角５３は実線で示されており、観察系の画角５４が破線で示されている。そして、観察系の視野率は撮像系の視野率より低くなっている。視野率の変更は、スーパーインポーズ枠を変更することにより行われる。
【００６６】
ところで、ぶれ補正モードがオフにされた場合は、観察系の視野率は撮像系の視野率と一致するように設定するようにする。
【００６７】
また、撮像系と観察系の画角中心は一致している。本実施形態に於いては、観察系と撮像系の光学系は、図１に示されるように別々である。したがって、パララックス（視差）が発生しているため、焦点距離情報及び撮影距離情報により、これを補正して画角中心を一致させるようにする。
【００６８】
観察ぶれ補正系の駆動により移動する最大画角領域は、撮像系の画角５３と一致するようにする。つまり、図５（ａ）〜（ｄ）に示されるように、発生したぶれを打ち消す方向に、観察ぶれ補正系（破線枠の領域５４）が最大範囲駆動された状態となる。観察系の画角５４は、常に撮像系の画角５３の内側に存在している。
【００６９】
いま、セカンドレリーズ釦が押された状態の観察系と撮像系との関係が、図６に示されるようになっていたとする。ここで、図６（ａ）に於いて、実線枠５３ａは撮像系の領域を、破線枠５４ａは観察系の領域を表している。尚、図６（ｂ）は観察系の画角５４を表し、（ｃ）は撮像系の画角５３を表している。
【００７０】
以上のことから、フレーミングにより決定された構図、すなわちセカンドレリーズ釦が押される直前の画角は、実際に撮影される構図、すなわちセカンドレリーズ釦が押された直後から露光している間の画角の領域に含まれることが分かる。尚、露光中は、ぶれ補正が行われるので、セカンドレリーズ釦が押された直後での画角を保っている。したがって、フレーミングより決定された構図が静止画上に撮影されない領域が発生してしまう、という現象を回避することができる。
【００７１】
（第２の実施形態）
次に、本発明の第２の実施形態について説明する。
【００７２】
尚、この第２の実施形態に於けるデジタルカメラの構成及び動作は、基本的に図１及び図２に示された第１の実施形態と同様であり、同一の部分には同一の参照番号を付してその図示及び説明は省略する。
【００７３】
図７は、観察ぶれ補正系と撮像ぶれ補正系の補正領域の関係を示した図である。
【００７４】
図７に於いて、５６は撮像ぶれ補正系の画角、５７は観察ぶれ補正系の画角、５８は撮像ぶれ補正系の補正領域を、それぞれ表している。
【００７５】
図８は、第２の実施形態に於けるカメラシーケンスを示した図である。
【００７６】
図８（ａ）はぶれ検出系の動作シーケンスであり、ぶれ補正系を駆動するための目標値である。また、図８（ｂ）は観察ぶれ補正系の動きを表す動作シーケンスであり、（ｃ）は撮像ぶれ補正系の動きを表す動作シーケンスである。
【００７７】
レリーズ釦２９が半押しされる（ファーストレリーズ釦が押される）と、観察ぶれ補正系と撮像ぶれ補正系が同時に駆動を開始する。撮像ぶれ補正系は、補正可能範囲の全領域内で駆動される。したがって、観察ぶれ補正系と撮像ぶれ補正系との関係は、図９に画角５６及び画角５７で示されるように、同じ動きをする。
【００７８】
そして、レリーズ釦２９が全押しされる（セカンドレリーズ釦が押される）と同時に、撮像ぶれ補正系はそのまま駆動されて、ぶれ補正された鮮明な画像を得ることができる。そして、観察ぶれ補正系は、セカンドレリーズ釦が押されると同時に駆動が停止され、所定の時定数により初期位置へと戻る。
【００７９】
以上より、観察系と撮像系との画角中心のずれがなくなる。
【００８０】
（第３の実施形態）
次に、本発明の第３の実施形態について説明する。
【００８１】
尚、この第３の実施形態に於けるデジタルカメラの構成及び動作は、基本的に図１及び図２に示された第１の実施形態と同様であり、同一の部分には同一の参照番号を付してその図示及び説明は省略する。
【００８２】
図１０は、観察ぶれ補正系と撮像ぶれ補正系の補正領域の関係を示した図である。
【００８３】
図１０に於いて、６０は撮像ぶれ補正系の画角、６１は観察ぶれ補正系の画角、６２はセカンドレリーズ後の撮像ぶれ補正系の補正領域、そして６３は、ファーストレリーズ後からセカンドレリーズまでの間の撮像ぶれ補正系の補正領域を、それぞれ表している。
【００８４】
図１１は、第３の実施形態に於けるカメラシーケンスを示した図である。
【００８５】
図１１（ａ）はぶれ検出系の動作シーケンスであり、ぶれ補正系を駆動するための目標値である。また、図１１（ｂ）は観察ぶれ補正系の動きを表す動作シーケンスであり、（ｃ）は撮像ぶれ補正系の動きを表す動作シーケンスである。
【００８６】
レリーズ釦２９が半押しされる（ファーストレリーズ釦が押される）と、観察ぶれ補正系と撮像ぶれ補正系が同時に駆動を開始する。図１０に於いて、補正領域６３内で補正可能なぶれが発生している場合は、観察ぶれ補正系と撮像ぶれ補正系は同じ動きをする。
【００８７】
ここで、領域６３を越える大きなぶれが発生した場合には、撮像ぶれ補正系は、領域６３の限界点で駆動が停止される。しかしながら、観察ぶれ補正系は、ぶれ補正のための駆動が継続される（図１１にてＴで表される期間）。
【００８８】
そして、図１２に示されるような、撮像ぶれ補正系は最大補正範囲端にて停止し続け（６０ａで示される状態）、観察ぶれ補正系も補正限界点となって駆動が停止される（６１ａで示される状態）。
【００８９】
以上より、撮像系と観察系の画角中心のずれを極力小さくしながらも、撮像ぶれ補正系の補正範囲を全方位に渡って広く確保することができる。
【００９０】
以上、この発明の実施形態について説明したが、この発明は上述した実施形態に限定されるものではなく、この発明の要旨を逸脱しない範囲で種々の変形実施が可能であるのは勿論である。
【図面の簡単な説明】
【００９１】
【図１】本発明の第１の実施形態に係るデジタルカメラの概略構成を模式的に示した構成図である。
【図２】図１のデジタルカメラに於けるぶれ補正システムの構成を示すブロック図である。
【図３】撮像系と観察系のぶれ補正の動作シーケンスの関係について説明するもので、（ａ）はぶれ検出系の動作シーケンスを表した図、（ｂ）は観察系のぶれ補正の動作シーケンスを表した図、（ｃ）は撮像系のぶれ補正の動作シーケンスを表した図である。
【図４】ぶれが発生していない状態時の初期位置にいるときの撮像系と観察系の画角の関係を表した図である。
【図５】観察ぶれ補正系の駆動により移動する最大画角領域について説明する図である。
【図６】セカンドレリーズ釦が押された状態の観察系と撮像系との関係を説明する図である。
【図７】本発明の第２の実施形態を説明するもので、観察ぶれ補正系と撮像ぶれ補正系の補正領域の関係を示した図である。
【図８】第２の実施形態に於けるカメラシーケンスを表したもので、（ａ）はぶれ検出系の動作シーケンスを表した図、（ｂ）は観察ぶれ補正系の動きを表す動作シーケンスを表した図、（ｃ）は撮像ぶれ補正系の動きを表す動作シーケンスを表した図である。
【図９】第２の実施形態による、観察ぶれ補正系と撮像ぶれ補正系との関係を示した図である。
【図１０】本発明の第３の実施形態を説明するもので、観察ぶれ補正系と撮像ぶれ補正系の補正領域の関係を示した図である。
【図１１】第３の実施形態に於けるカメラシーケンスを表したもので、（ａ）はぶれ検出系の動作シーケンスを表した図、（ｂ）は観察ぶれ補正系の動きを表す動作シーケンスを表した図、（ｃ）は撮像ぶれ補正系の動きを表す動作シーケンスを示した図である。
【図１２】第３の実施形態による、観察ぶれ補正系と撮像ぶれ補正系との関係を示した図である。
【符号の説明】
【００９２】
１０…デジタルカメラ、１１…カメラ本体、１２…レンズ鏡筒、１６…撮像素子、１７…撮像系駆動部、１８…撮像系位置検出部、２０…液晶画面、２３…観察ぶれ補正光学系、２４…観察系駆動部、２５…観察系位置検出部、２６…ファインダ窓、２８…ぶれ検出部、２９…レリーズ釦、３１…ぶれ検出部、３２、３８…ハイパスフィルタ（ＨＰＦ）、３３、４６…信号増幅器（ＡＭＰ）、３４、４７…アナログ−デジタル（Ａ／Ｄ）変換器、３６…積分処理部、３７…位置換算部、３９…比較部、４０…制御部、４２…ドライバ、４３…補正系、４５…位置検出部、５０…マイクロコンピュータ、５３…撮像系の画角、５４…観察系の画角。
【図１】
2005318431.tif 000003
【図２】
2005318431.tif 000004
【図３】
2005318431.tif 000005
【図４】
2005318431.tif 000006
【図５】
2005318431.tif 000007
【図６】
2005318431.tif 000008
【図７】
2005318431.tif 000009
【図８】
2005318431.tif 000010
【図９】
2005318431.tif 000011
【図１０】
2005318431.tif 000012
【図１１】
2005318431.tif 000013
【図１２】
2005318431.tif 000014